(57)【要約】【課題】額縁が狭くても、偏光板の位置合わせが簡単であり、液晶表示パネルの固定が可能な液晶表示装置を提供することを目的とする。【解決手段】液晶表示装置は、表示面１６を有する液晶表示パネル１０と、液晶表示パネル１０の表示面１６とは反対側に配置されたバックライト２８と、液晶表示パネル１０の表示面１６から、バックライト２８の液晶表示パネル１０とは反対側の下面に至る部分を有し、液晶表示パネル１０及びバックライト２８を挟むように保持するホルダ５２と、を有し、ホルダ５２の少なくとも一部は、粘着層２０を備えた偏光板１８であり、偏光板１８は、液晶表示パネル１０の表示面１６に粘着層２０を介して粘着し、表示面１６をはみ出すように配置され、バックライト２８の下面に対してホルダ５２を保持するための粘着が粘着層２０によってなされている。【選択図】図１
2013068894.tif 000002
【特許請求の範囲】
【請求項１】
表示面を有する液晶表示パネルと、
前記液晶表示パネルの前記表示面とは反対側に配置されたバックライトと、
前記液晶表示パネルの前記表示面から、前記バックライトの前記液晶表示パネルとは反対側の下面に至る部分を有し、前記液晶表示パネル及び前記バックライトを挟むように保持するホルダと、
を有し、
前記ホルダの少なくとも一部は、粘着層を備えた偏光板であり、
前記偏光板は、前記液晶表示パネルの前記表示面に前記粘着層を介して粘着し、前記表示面をはみ出すように配置され、
前記ホルダは、前記液晶表示パネル及び前記バックライトを挟むように保持し、前記バックライトの前記下面に対して前記ホルダを保持するための粘着が前記粘着層によってなされていることを特徴とする液晶表示装置。
【請求項２】
請求項１に記載された液晶表示装置において、
前記ホルダは、前記バックライトの下に配置される部分を有するフレームを含み、
前記偏光板は、前記液晶表示パネルからはみ出して、前記粘着層を介して前記フレームに粘着することを特徴とする液晶表示装置。
【請求項３】
請求項２に記載された液晶表示装置において、
前記フレームの上面には、前記液晶表示パネル及び前記バックライトが配置される凹部が形成されていることを特徴とする液晶表示装置。
【請求項４】
請求項３に記載された液晶表示装置において、
前記凹部は、底面及び前記底面よりも高い位置にある中段底面を有するように内側が階段状になり、
前記液晶表示パネルは、前記底面から浮いた状態で前記中段底面に載るように配置され、
前記バックライトは、前記液晶表示パネルの下で前記底面に載るように配置されることを特徴とする液晶表示装置。
【請求項５】
請求項３に記載された液晶表示装置において、
前記バックライトは、前記凹部の底面に配置され、
前記液晶表示パネルは、前記バックライトを介して前記底面に支持されることを特徴とする液晶表示装置。
【請求項６】
請求項２から５のいずれか１項に記載された液晶表示装置において、
前記フレームは、前記液晶表示パネルの側方で立ち上がる壁部を有し、
前記偏光板は、前記粘着層を介して前記壁部の上端面に粘着することを特徴とする液晶表示装置。
【請求項７】
請求項６に記載された液晶表示装置において、
前記偏光板は、さらに、前記粘着層を介して、前記液晶表示パネルと反対側で立ち上がる前記壁部の外側面に粘着することを特徴とする液晶表示装置。
【請求項８】
請求項２から７のいずれか１項に記載された液晶表示装置において、
前記フレームは、内側フレーム及び外側フレームを含み、
前記偏光板は、前記粘着層を介して、少なくとも前記外側フレームに粘着することを特徴とする液晶表示装置。
【請求項９】
請求項２から７のいずれか１項に記載された液晶表示装置において、
前記フレームは、内側フレーム及び外側フレームを含み、
前記偏光板は、前記粘着層を介して、少なくとも前記内側フレームの前記外側フレームから露出した面に粘着することを特徴とする液晶表示装置。
【請求項１０】
請求項１に記載された液晶表示装置において、
前記偏光板及び前記粘着層は、屈曲して、前記バックライトの前記下面に至るように延び、
前記偏光板は、前記粘着層を介して前記下面に粘着することを特徴とする液晶表示装置。
【発明の詳細な説明】
【技術分野】
【０００１】
本発明は、液晶表示装置に関する。
【背景技術】
【０００２】
液晶表示装置では、液晶表示パネルは、粘着テープによって樹脂フレームの受け部に貼り付けられている（特許文献１参照）。詳しくは、液晶表示パネルの表示領域の周囲の額縁と呼ばれる領域が、粘着テープによって樹脂フレームに固定されている。
【先行技術文献】
【特許文献】
【０００３】
【特許文献１】特開２０１０−２２３９９９号公報
【発明の概要】
【発明が解決しようとする課題】
【０００４】
近年、液晶表示装置を小型化するため額縁が狭くなってきているため、液晶表示パネルと樹脂フレームを小さい面積で固定しなければならず、両者が剥がれやすくなっている。また、表示領域には偏光板が貼り付けられるが、額縁が狭いため、偏光板の位置合わせが難しかった。
【０００５】
本発明は、額縁が狭くても、偏光板の位置合わせが簡単であり、液晶表示パネルの固定が可能な液晶表示装置を提供することを目的とする。
【課題を解決するための手段】
【０００６】
（１）本発明に係る液晶表示装置は、表示面を有する液晶表示パネルと、前記液晶表示パネルの前記表示面とは反対側に配置されたバックライトと、前記液晶表示パネルの前記表示面から、前記バックライトの前記液晶表示パネルとは反対側の下面に至る部分を有し、前記液晶表示パネル及び前記バックライトを挟むように保持するホルダと、を有し、前記ホルダの少なくとも一部は、粘着層を備えた偏光板であり、前記偏光板は、前記液晶表示パネルの前記表示面に前記粘着層を介して粘着し、前記表示面をはみ出すように配置され、前記バックライトの前記下面に対して前記ホルダを保持するための粘着が前記粘着層によってなされていることを特徴とする。本発明によれば、表示面をはみ出すように偏光板を設けるので、額縁が狭くても偏光板の位置合わせが簡単である。また、バックライトの下面に対しても粘着層によってホルダが保持されるので、液晶表示パネルの固定が可能になっている。
【０００７】
（２）（１）に記載された液晶表示装置において、前記ホルダは、前記バックライトの下に配置される部分を有するフレームを含み、前記偏光板は、前記液晶表示パネルからはみ出して、前記粘着層を介して前記フレームに粘着することを特徴としてもよい。
【０００８】
（３）（２）に記載された液晶表示装置において、前記フレームの上面には、前記液晶表示パネル及び前記バックライトが配置される凹部が形成されていることを特徴としてもよい。
【０００９】
（４）（３）に記載された液晶表示装置において、前記凹部は、底面及び前記底面よりも高い位置にある中段底面を有するように内側が階段状になり、前記液晶表示パネルは、前記底面から浮いた状態で前記中段底面に載るように配置され、前記バックライトは、前記液晶表示パネルの下で前記底面に載るように配置されることを特徴としてもよい。
【００１０】
（５）（３）に記載された液晶表示装置において、前記バックライトは、前記凹部の底面に配置され、前記液晶表示パネルは、前記バックライトを介して前記底面に支持されることを特徴としてもよい。
【００１１】
（６）（２）から（５）のいずれか１項に記載された液晶表示装置において、前記フレームは、前記液晶表示パネルの側方で立ち上がる壁部を有し、前記偏光板は、前記粘着層を介して前記壁部の上端面に粘着することを特徴としてもよい。
【００１２】
（７）（６）に記載された液晶表示装置において、前記偏光板は、さらに、前記粘着層を介して、前記液晶表示パネルと反対側で立ち上がる前記壁部の外側面に粘着することを特徴としてもよい。
【００１３】
（８）（２）から（７）のいずれか１項に記載された液晶表示装置において、前記フレームは、内側フレーム及び外側フレームを含み、前記偏光板は、前記粘着層を介して、少なくとも前記外側フレームに粘着することを特徴としてもよい。
【００１４】
（９）（２）から（７）のいずれか１項に記載された液晶表示装置において、前記フレームは、内側フレーム及び外側フレームを含み、前記偏光板は、前記粘着層を介して、少なくとも前記内側フレームの前記外側フレームから露出した面に粘着することを特徴としてもよい。
【００１５】
（１０）（１）に記載された液晶表示装置において、前記偏光板及び前記粘着層は、屈曲して、前記バックライトの前記下面に至るように延び、前記偏光板は、前記粘着層を介して前記下面に粘着することを特徴としてもよい。
【図面の簡単な説明】
【００１６】
【図１】本発明の実施の形態に係る液晶表示装置を示す断面図である。
【図２】実施形態に係る液晶表示装置の変形例１を説明する図である。
【図３】実施形態に係る液晶表示装置の変形例２を説明する図である。
【図４】実施形態に係る液晶表示装置の変形例３を説明する図である。
【図５】実施形態に係る液晶表示装置の変形例４を説明する図である。
【発明を実施するための形態】
【００１７】
以下、本発明の実施の形態について、図面を参照して説明する。図１は、本発明の実施の形態に係る液晶表示装置を示す断面図である。
【００１８】
液晶表示装置は、液晶表示パネル１０を有する。液晶表示パネル１０は、一対の基板１２，１４（ガラス基板）を有し、両者間には図示しない液晶が介在する。一方の基板１２は、薄膜トランジスタ、画素電極及び配線などを含むＴＦＴ（Thin Film Transistor）基板（又はアレイ基板）であり、他方の基板１４はカラーフィルタ基板である。液晶表示パネル１０の駆動方式は、IPS（In Plane Switching）方式、TN（Twisted Nematic）方式又はVA（Vertical Alignment）方式などいずれの方式であってもよく、方式に応じた電極及び配線が形成される。
【００１９】
液晶表示パネル１０は、画像が表示される側の表示面１６を有する。液晶表示パネル１０の表示面１６には、偏光板１８が粘着層２０を介して粘着されている。偏光板１８は、表示面１６（つまり上側の基板１４）をはみ出すように配置されている。偏光板１８は、表示面１６の全体からはみ出してもよいし、表示面１６の一部からはみ出してもよい。例えば、基板１４が矩形である場合、偏光板１８は矩形の一辺からはみ出さずに、三辺からはみ出していてもよい。そして、偏光板１８がはみ出さない一辺から、他方の基板１２の端部が突出していてもよい（図示省略）。本実施形態によれば、偏光板１８を表示面１６からはみ出すように配置するので、表示領域の周辺領域である額縁が狭くても偏光板１８の位置合わせが簡単である。
【００２０】
偏光板１８の上（液晶表示パネル１０とは反対側）には、光透過性の補強板２２が貼り付けられている。偏光板１８の全体を覆うように補強板２２が設けられている。補強板２２には、表示領域を囲むように遮光膜２４が形成されており、表示領域の外側への光漏れを防止している。なお、液晶表示パネル１０には、表示面１６とは反対側の面にも偏光板２６が貼り付けられている。この偏光板２６は、表示面１６の全体と重なり、かつ、基板１２からはみ出さないように配置されている。
【００２１】
液晶表示装置は、バックライト２８を有する。バックライト２８は、液晶表示パネル１０の表示面１６とは反対側に配置されている。図１には、バックライト２８の一部である導光板３０及び光学シート３２が示されている。導光板３０は、点光源としての発光ダイオード（図示せず）の光を面光源に変換して液晶表示パネル１０に照射するためのものである。バックライト２８の発光面は、偏光板２６の方向に向けられている。液晶表示パネル１０と導光板３０の間に光学シート３２が配置されている。光学シート３２は、拡散シート及びプリズムシートなどを含む。光学シート３２は、近い側（下側）の偏光板２６よりも小さい。詳しくは、光学シート３２は、導光板３０の発光面と対向する面と、この面とは反対の面と、を有し、これらの面の外形が偏光板２６の外形よりも小さい。ここで、外形が小さいとは、面積が小さいだけでなく、小さい方の外形が、大きい方の外形の内側に完全に入る形状であることをいう。
【００２２】
液晶表示パネル１０及びバックライト２８は、フレーム３４に収容されている。フレーム３４は、内側フレーム３６を含む。内側フレーム３６は、樹脂のモールド成形品であり、モールドともよばれる。
【００２３】
内側フレーム３６の上面には、液晶表示パネル１０及びバックライト２８が配置される凹部３８が形成されている。凹部３８は、内側が階段状になっている。そのため、凹部３８には、底面４０と、底面４０よりも高い位置にある中段底面４２が形成されている。液晶表示パネル１０は、底面４０から浮いた状態で中段底面４２に載るように配置されている。液晶表示パネル１０は、粘着テープ４４によって中段底面４２に貼り付けられている。粘着テープ４４は遮光性を有しており、光漏れを防止している。バックライト２８は、液晶表示パネル１０の下で、凹部３８の底面４０に載るように配置されている。
【００２４】
内側フレーム３６は、液晶表示パネル１０の側方で立ち上がる壁部４６を有している。なお、壁部４６は、凹部３８に対して相対的な凸部であり、壁部４６の上端面は、内側フレーム３６の上面である。壁部４６は、中段底面４２を囲むように形成されており、液晶表示パネル１０を側方で保護している。壁部４６の上端面と、液晶表示パネル１０の表示面１６側の基板１４の上面とは、同じ高さであることが好ましい。偏光板１８は、粘着層２０を介して壁部４６の上端面に粘着する。液晶表示パネル１０からはみ出した偏光板１８は、粘着層２０を介して内側フレーム３６に粘着している。
【００２５】
フレーム３４は、外側フレーム４８を含む。外側フレーム４８は、金属からなる。外側フレーム４８は、無蓋の有底箱であり、その内側に内側フレーム３６が配置されている。内側フレーム３６を囲むように、外側フレーム４８の壁部５０が立ち上がっている。外側フレーム４８の壁部５０は、内側フレーム３６の壁部４６よりも高くなっている。
【００２６】
偏光板１８は、粘着層２０を介して、内側フレーム３６の外側フレーム４８から露出した面に粘着する。内側フレーム３６は、その上面以外が外側フレーム４８に囲まれており、内側フレーム３６の上面に偏光板１８が粘着している。具体的には、偏光板１８が粘着する内側フレーム３６の上面とは、壁部４６の上端面である。そして、この例では、偏光板１８は、全体的に、外側フレーム４８の内側に配置されている。つまり、偏光板１８は、外側フレーム４８には粘着していない。さらに、偏光板１８の上面と、外側フレーム４８の壁部５０の上端面とは同じ高さになっている。
【００２７】
液晶表示装置は、ホルダ５２を有する。ホルダ５２の少なくとも一部は、粘着層２０を備えた偏光板１８である。また、ホルダ５２は、バックライト２８の下に配置される部分を有するフレーム３４を含む。ホルダ５２は、液晶表示パネル１０の表示面１６から、バックライト２８の液晶表示パネル１０とは反対側の下面に至る部分を有している。ホルダ５２は、液晶表示パネル１０及びバックライト２８を挟むように保持する。そして、バックライト２８の下面に対してホルダ５２を保持するための粘着が粘着層２０によってなされている。
【００２８】
本実施形態によれば、表示面１６をはみ出すように偏光板１８を設けるので、額縁が狭くても偏光板１８の位置合わせが簡単である。また、バックライト２８の下面に対しても粘着層２０によってホルダ５２が保持されるので、液晶表示パネル１０の固定が可能になっている。
【００２９】
図２は、実施形態に係る液晶表示装置の変形例１を説明する図である。この例は、偏光板１１８が、粘着層１２０を介して、外側フレーム１４８にも粘着する点で上記実施形態と相違する。詳しくは、偏光板１１８は、内側フレーム１３６の壁部１４６の上端面と、外側フレーム１４８の壁部１４６の上端面に粘着している。また、内側フレーム１３６の壁部１４６の上端面と、外側フレーム１４８の壁部１５０の上端面とは同じ高さになっている。
【００３０】
図３は、実施形態に係る液晶表示装置の変形例２を説明する図である。この例は、偏光板２１８が、粘着層２２０を介して、液晶表示パネル２１０の隣に立ち上がる壁部（外側フレーム２４８の壁部２５０）の外側面に粘着する点で、上記変形例１と相違する。また、偏光板２１８は、外側フレーム２４８の壁部２５０の外側面に至るまで長くなっている。
【００３１】
図４は、実施形態に係る液晶表示装置の変形例３を説明する図である。この例は、液晶表示パネルと内側フレーム３３６とを貼り付ける中段底面を削除し、内側フレーム３３６の凹部３３８が階段状になっていない点で上記実施形態と相違する。そして、バックライト３２８が凹部３３８の底面３４０に配置され、液晶表示パネル３１０は、バックライト３２８を介して凹部３３８の底面３４０に支持されている。この構造によれば、導光板３３０を大きくすることができるので、明るい画像表示が可能になる。また、凹部３３８の形状が簡単になるので、設計や成型も簡単になる。
【００３２】
図５は、実施形態に係る液晶表示装置の変形例４を説明する図である。この例は、フレームを有していない点で上記実施形態と相違する。そして、偏光板４１８及び粘着層４２０は、屈曲して、バックライト４２８の下面に至るように延びている。偏光板４１８は、粘着層４２０を介してバックライト４２８（具体的には導光板４３０）の下面に粘着する。この例では、粘着層４２０を備えた偏光板４１８のみがホルダであり、バックライト４２８（導光板４３０）の下面に対してホルダを保持するための粘着が粘着層４２０によってなされている。
【００３３】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３４】
１０  液晶表示パネル、１２  基板、１４  基板、１６  表示面、１８  偏光板、２０  粘着層、２２  補強板、２４  遮光膜、２６  偏光板、２８  バックライト、３０  導光板、３２  光学シート、３４  フレーム、３６  内側フレーム、３８  凹部、４０  底面、４２  中段底面、４４  粘着テープ、４６  壁部、４８  外側フレーム、５０  壁部、５２  ホルダ、１１８  偏光板、１２０  粘着層、１３６  内側フレーム、１４６  壁部、１４８  外側フレーム、１５０  壁部、２１０  液晶表示パネル、２１８  偏光板、２２０  粘着層、２４８  外側フレーム、２５０  壁部、３１０  液晶表示パネル、３２８  バックライト、３３０  導光板、３３６  内側フレーム、３３８  凹部、３４０  底面、４１８  偏光板、４２０  粘着層、４２８  バックライト、４３０  導光板。
【図１】
2013068894.tif 000003
【図２】
2013068894.tif 000004
【図３】
2013068894.tif 000005
【図４】
2013068894.tif 000006
【図５】
2013068894.tif 000007